(57)【要約】【課題】漏洩させたくない画像を表示状態にしているときに非認証対象を認識すると、画像を表示状態から非表示状態に変更することができる表示装置、および表示方法を提供する。【解決手段】表示装置１００は、撮像部２と、認証部８と、表示部４と、表示制御部１０とを備える。撮像部２は、対象視認可能領域または撮像可能領域を撮像して画像データを出力する。認証部８は、画像データに基づいて、視認可能領域または撮像可能領域に存在する対象が認証対象であるか非認証対象であるかことを示す認証データを出力する。表示部４は、画像を表示する。表示制御部１０は、対象が非認証対象であることを認証データが示す場合、表示部４に表示している画像の表示形態を表示状態から非表示状態に変更する。【選択図】図１
2020204705.tif 000002
【特許請求の範囲】
【請求項１】
視認可能領域または撮像可能領域を撮像して画像データを出力する撮像部と、
前記画像データに基づいて、前記視認可能領域または前記撮像可能領域に存在する対象が非認証対象であることを示す認証データを出力する認証部と、
画像を表示する表示部と、
前記対象が前記非認証対象であることを前記認証データが示す場合、前記表示部に表示している前記画像の表示形態を表示状態から非表示状態に変更する表示制御部と
を備える、表示装置。
【請求項２】
前記非認証対象が登録された認証リストを記憶する記憶部をさらに備え、
前記非認証対象は、前記認証リストに登録されていない人、または前記認証リストに登録されていない撮像装置を含む、請求項１に記載の表示装置。
【請求項３】
前記表示部は、前記画像をウィンドウに表示し、
前記表示制御部は、前記表示部に表示している前記画像の前記表示形態を、前記表示状態から、前記画像の少なくとも一部を表示しない前記非表示状態に変更し、または前記ウィンドウを縮小する、請求項２に記載の表示装置。
【請求項４】
前記画像は、ユーザーによって入力されたフォントを表示する入力欄を含み、
前記表示制御部は、
前記対象が前記非認証対象であることを前記認証データが示す場合、前記表示部に表示された少なくとも一部の前記入力欄の前記表示形態を、前記表示状態から前記非表示状態に変更するよう、前記表示部を制御する、請求項２または請求項３に記載の表示装置。
【請求項５】
前記入力欄に前記フォントが入力されてから経過した経過時間を計時する計時部をさらに備え、
前記表示制御部は、
前記経過時間が閾値以下の前記入力欄の前記表示形態を、前記表示状態から前記非表示状態に変更するよう、前記表示部を制御する、請求項４に記載の表示装置。
【請求項６】
前記表示制御部は、
前記人が前記フォントを視認できる前記視認可能領域の外に移動した場合、または前記撮像装置が前記フォントを撮像できる前記撮像可能領域の外に移動した場合、前記表示部における前記表示形態が前記非表示状態に変更された前記入力欄を、前記表示状態に変更するよう、前記表示部を制御する、請求項４または請求項５に記載の表示装置。
【請求項７】
前記画像を視認しまたは撮像した前記非認証対象に関する対象付帯情報を生成する生成部をさらに備える、請求項１〜請求項６のいずれか１項に記載の表示装置。
【請求項８】
前記非認証対象により視認され、または撮像された前記画像に関する画像付帯情報を生成する生成部をさらに備える、請求項１〜請求項６のいずれか１項に記載の表示装置。
【請求項９】
前記対象付帯情報を管理者に通報する通信部をさらに備える、請求項７に記載された表示装置。
【請求項１０】
前記画像付帯情報を管理者に通報する通信部をさらに備える、請求項８に記載された表示装置。
【請求項１１】
視認可能領域または撮像可能領域を撮像して画像データを出力するステップと、
前記画像データに基づいて、前記視認可能領域または前記撮像可能領域に存在する対象が非認証対象であることを示す認証データを出力するステップと、
画像を表示するステップと、
前記対象が前記非認証対象であることを前記認証データが示す場合、前記画像の表示形態を表示状態から非表示状態に変更するステップと
を包含する、表示方法。
【発明の詳細な説明】
【技術分野】
【０００１】
本発明は、表示装置、および表示方法に関する。
【背景技術】
【０００２】
特許文献１に記載された携帯端末は、携帯端末の撮像部でユーザーの顔を撮像し、ユーザーを識別する情報と、顔写真から抽出される特徴量とを、関連付けて登録する。携帯端末は、撮像した人物の顔が登録済みであると判断すると、表示対象の画面を表示部に表示する。
【先行技術文献】
【特許文献】
【０００３】
【特許文献１】特開２０１４−１１５５８７号公報
【発明の概要】
【発明が解決しようとする課題】
【０００４】
しかしながら、特許文献１に記載された携帯端末は、撮像した対象（人物）が認証されているか否かに応じて画像を表示するか否かを決定している。従って、表示装置にすでに画像を表示しているときに、非認証対象が表示装置を覗き込んだ場合の対処を開示していない。そのため、例えば、表示装置に画像を表示して作業している最中に、非認証対象が表示装置を覗き込んだ場合、画像に含まれる情報が漏洩してしまうという課題がある。
【０００５】
本発明は上記課題に鑑みてなされたものであり、漏洩させたくない画像を表示状態にしているときに非認証対象を認識すると、画像を表示状態から非表示状態に変更することができる表示装置、および表示方法を提供することを目的とする。
【課題を解決するための手段】
【０００６】
本発明の一局面によれば、表示装置１００は、撮像部２と、認証部８と、表示部４と、表示制御部１０とを備える。撮像部２は、視認可能領域または撮像可能領域を撮像して画像データを出力する。認証部８は、前記画像データに基づいて、前記視認可能領域または前記撮像可能領域に存在する対象が非認証対象であることを示す認証データを出力する。表示部４は、画像を表示する。表示制御部１０は、前記対象が前記非認証対象であることを前記認証データが示す場合、前記表示部４に表示している前記画像の表示形態を表示状態から非表示状態に変更する。
【０００７】
本発明の他の一局面によれば、表示方法は、視認可能領域または撮像可能領域を撮像して画像データを出力するステップと、前記画像データに基づいて、前記視認可能領域または前記撮像可能領域に存在する対象が非認証対象であることを示す認証データを出力するステップと、画像を表示するステップと、前記対象が前記非認証対象であることを前記認証データが示す場合、前記表示部４に表示している前記画像の表示形態を表示状態から非表示状態に変更するステップとを包含する。
【発明の効果】
【０００８】
本発明によれば、表示装置は、漏洩させたくない画像を表示状態にしているときに非認証対象を認識すると、画像を表示状態から非表示状態に変更することができる。
【図面の簡単な説明】
【０００９】
【図１】本発明の本実施形態に係る表示装置の典型例を示す図である。
【図２】本実施形態に係る表示装置の典型例における表示部を示す図である。
【図３】本実施形態に係る表示装置の典型例を示すフローチャートである。
【図４】本実施形態に係る表示装置の第１具体例を示す図である。
【図５】本実施形態に係る表示装置の第２具体例を示す図である。
【図６】（ａ）および（ｂ）は、本実施形態に係る表示装置の第３具体例〜第５具体例を示す図である。
【図７】本実施形態に係る表示装置の第１具体例〜第５具体例を示すフローチャートである。
【図８】本実施形態に係る表示装置の第６具体例〜第９具体例を示す図である。
【図９】（ａ）および（ｂ）は、本実施形態に係る表示装置の第７具体例を示す図である。
【図１０】本実施形態に係る表示装置の第６具体例および第７具体例を示すフローチャートである。
【図１１】本実施形態に係る表示装置の第８具体例を示す図である。
【図１２】本実施形態に係る表示装置の第９具体例を示す図である。
【図１３】本実施形態に係る表示装置の第８具体例〜第１０具体例を示すフローチャートである。
【発明を実施するための形態】
【００１０】
以下、本発明の実施形態について、図面を参照しながら説明する。なお、図中、同一または相当部分については同一の参照符号を付して説明を繰り返さない。
【００１１】
（典型例）
図１および図２を参照して、本実施形態に係る表示装置１００の典型例について説明する。図１は、表示装置１００の典型例を示す図である。図２は、典型例における表示部４を示す図である。
【００１２】
典型例では、図１に示すように、表示装置１００は、撮像部２と、表示部４と、制御装置６とを備える。撮像部２は、視認可能領域または撮像可能領域を撮像して画像データを出力する。表示部４は、画像を表示する。制御装置６は、記憶部７と、認証部８と、表示制御部１０とを含む。記憶部７は、認証対象または非認証対象が登録された認証リストを記憶する。認証部８は、画像データに基づいて、視認可能領域または撮像可能領域に存在する対象が非認証対象であることを示す認証データを出力する。表示制御部１０は、対象が非認証対象であることを認証データが示す場合、表示部４に表示している画像の表示形態を表示状態から非表示状態に変更する。
【００１３】
表示装置１００の一例は、複合機、ディスプレー、ノートパソコン、カメラ、携帯電話、タブレット、またはスマートフォンである。複合機は、スキャナー、ファックス、プリンター、撮像部２などの複数の機能を含む。ノートパソコン、携帯電話、タブレット、またはスマートフォンも、撮像部２の機能を含んでもよい。
【００１４】
図１に示すように、撮像部２は、視認可能領域または撮像可能領域を含む所定の広角の空間領域を撮像して画像データを出力する。撮像部２は、複合機、ノートパソコン、カメラ、携帯電話、タブレット、またはスマートフォンに外付けされてもよく、または内蔵されてもよい。
【００１５】
視認可能領域は、表示部４で後述するように、非認証対象が人Ｈ２である場合に、人Ｈ２が表示部４に表示されている内容を視覚的に判読できる範囲である。
【００１６】
撮像可能領域は、図５で後述するように、非認証対象が人Ｈ２以外の機器、すなわち、スマートフォンＳ、カメラＣ、携帯電話、タブレット、または常設セキュリティーカメラＰである場合に、機器が撮像機能により表示部４を撮像し、撮像した画像の画像データに基づいて、非認証者である人Ｈ２が画像の内容を判読できる範囲である。
【００１７】
空間領域は、図４に示すように、表示装置１００の撮像部２が撮像可能な空間における領域である。
【００１８】
撮像部２の一例は、ＣＣＤ（Ｃｈａｒｇｅ  Ｃｏｕｐｌｅｄ  Ｄｅｖｉｃｅ）カメラである。
【００１９】
撮像部２が出力する画像データは、空間領域を撮像して取得した画像を画素ごとにＲＧＢデータなどに変換したデータを含む。画像データは、認証部８が対象が認証対象か非認証対象かを判定するために必要なデータを含む。
【００２０】
図１に示すように、制御装置６は、表示装置１００の各部を制御する。制御装置６の一例は、ＣＰＵ（Ｃｅｎｔｒａｌ  Ｐｒｏｃｅｓｓｉｎｇ  Ｕｎｉｔ）等のプロセッサーである。制御装置６は、他の構成要素が統合されたＳｏＣ（Ｓｙｓｔｅｍ−ｏｎ−ａ−Ｃｈｉｐ）等の集積回路であってもよい。制御装置６は、複数の集積回路を組み合わせて構成されてもよい。制御装置６は、表示装置１００の動作を統括的に制御して各種の機能を実現する。
【００２１】
具体的には、制御装置６は、記憶部７に記憶されているデータを必要に応じて参照する。制御装置６は、記憶部７に記憶されているプログラムに含まれる命令を実行して、表示部４等の他の機能部を制御することによって、各種機能を実現する。記憶部７は、表示装置１００が有していることに限定されない。記憶部７は、サーバーまたはクラウドなど、表示装置１００以外の装置に配置されていてもよい。
【００２２】
記憶部７は、記憶装置を含む。具体的には、記憶部７は、半導体メモリーのような主記憶装置、並びに、半導体メモリーおよび／またはハードディスクドライブのような補助記憶装置を含む。記憶部７は、データおよびコンピュータープログラムを記憶する。
【００２３】
具体的には、記憶部７は、対象が認証対象か、非認証対象かを判定するための認証リストを記憶する。記憶部７は、さらに組織に属するメンバーまたは組織に属する撮像装置を判定するための登録リストを記憶してもよい。認証リストには、表示装置１００を操作することを認証された認証対象が登録されている。認証リストには、表示装置１００を操作することを認証されていない非認証対象が登録されてもよい。
【００２４】
認証対象は、認証リストに登録された人、または登録された撮像装置を含む。非認証対象は、認証リストに登録されていない人、または認証リストに登録されていない撮像装置を含む。
【００２５】
認証部８は、撮像部２が対象を撮像して取得した画像データと、記憶部７に記憶された認証リストとを比較して、対象を認証する。対象は、一例として、人、スマートフォン、カメラ、携帯電話、タブレット、または常設セキュリティーカメラである。対象は、認証対象と非認証対象とを含む。認証対象は、一例として、人である認証者を含む。非認証対象は、一例として、人である非認証者、スマートフォン、カメラ、携帯電話、タブレット、または常設セキュリティーカメラを含む。
【００２６】
対象が非認証対象である場合、認証部８は、対象が非認証対象であることを示す認証データを生成して出力する。対象が認証対象である場合、認証部８は、対象が認証対象であることを示す認証データを生成して出力してもよい。
【００２７】
認証部８は、対象が人の場合、例えば、画像データから人の顔を認識する。認証部８は、記憶部７に記憶された認証リストまたは登録リストに基づいて、顔の画像データからその人が非認証対象であることを認証して、認証データを出力する。認証部８は、その人が認証対象であることを認証して、認証データを出力してもよい。
【００２８】
認証部８は、対象が人以外の機器の場合、例えば、画像データから機器のパーツや少なくとも一部の輪郭を認識し、記憶部７に記憶された認証リストまたは登録リストに基づいて、パーツや輪郭の画像データからその機器が非認証対象であることを認証して、認証データを出力する。認証部８は、その機器が認証対象であることを認証して、認証データを出力してもよい。
【００２９】
表示部４は、図２に示すように、一例として、液晶ディスプレー（Ｌｉｑｕｉｄ  Ｃｒｙｓｔａｌ  Ｄｉｓｐｌａｙ）、または有機ＥＬパネル（Ｏｒｇａｎｉｃ  Ｅｌｅｃｔｒｏ−Ｌｕｍｉｎｅｓｃｅｎｃｅ  Ｐａｎｅｌ）等を備える。表示部４は、無機ＥＬパネル（Ｉｎｏｒｇａｎｉｃ  Ｅｌｅｃｔｒｏ−Ｌｕｍｉｎｅｓｃｅｎｃｅ  Ｐａｎｅｌ）等を備えてもよい。
【００３０】
表示部４は、画像を表示する。表示部４は、タッチスクリーンを含む。タッチスクリーンは、指またはスタイラスペン等が接触したことを検出してもよい。タッチスクリーンは、指またはスタイラスペン等が移動したことを検出してもよい。この場合、表示部４は、指、またはスタイラスペン等がタッチスクリーンに接触した位置を検出することができる。また、表示部４は、指、またはスタイラスペン等がタッチスクリーンに対して移動した方向を検出することができる。
【００３１】
画像は、一例として、タスクＴを含む。タスクＴは、一例として、認証者の登録画像、設定画像、申請画像、連絡画像、または報告画像である。タスクＴの画像は、一例として、ワークフローＷの画像を含む。ワークフローＷの画像は、一例として、認証者の登録画像、設定画像、または申請画像である。
【００３２】
ワークフローＷは、図２に示すように、一例として、入力欄１２の画像を含む。入力欄１２の画像は、第１入力欄１２Ａ、第２入力欄１２Ｂ、第３入力欄１２Ｃ、および第４入力欄１２Ｄの画像を含む。従って、以下、タスクＴの画像と記載するときは、タスクＴの画像は、ワークフローＷ、入力欄１２、および第１入力欄１２Ａ〜第４入力欄１２Ｄの画像を含む。入力欄１２の画像が第１入力欄１２Ａ〜第４入力欄１２Ｄの画像を含むことは一例に過ぎず、入力欄１２の数は限定されない。
【００３３】
入力欄１２に表示された画像の一例は、図示しない入力装置によりユーザーが入力したフォントである。フォントは、一例として、文字、数字、または記号を含む。
【００３４】
図２は、一例として、出張報告のワークフローＷの画像を示す。図２において、第１入力欄１２Ａは、ワークフローＷの件名を入力する欄である。第１入力欄１２Ａには、一例として、「出張報告の件」というフォントが入力されている。第２入力欄１２Ｂは、件名に記載された報告の内容を記入する欄である。第２入力欄１２Ｂには、一例として、「共同開発の打合せ」というフォントが入力されている。
【００３５】
第３入力欄１２Ｃは、件名に記載された内容が行われた日時を記入する欄である。第３入力欄１２Ｃには、一例として、「２０××年○月△日□□時」というフォントが入力されている。第４入力欄１２Ｄは、件名に記載された内容が行われた場所を記入する欄である。第４入力欄１２Ｄには、一例として、「Ａ社５階Ｂ会議室」というフォントが入力されている。
【００３６】
図１に示すように、表示制御部１０は、表示部４にタスクＴの画像を表示させる。さらに、表示制御部１０は、タスクＴ、ワークフローＷ、入力欄１２を表示部４に表示させるための表示データを生成し、表示部４に出力する。表示制御部１０は、対象が非認証対象であることを認証データが示す場合、表示部４に表示している画像の表示形態を表示状態から非表示状態に変更する。表示制御部１０は、対象が認証対象であることを認証データが示す場合、表示部４に表示している画像の表示形態を非表示状態から表示状態に変更してもよい。
【００３７】
表示形態は、表示状態と非表示状態とを含む。表示状態は、タスクＴの画像が表示部４に全部表示された表示形態である。すなわち、図２に示す表示部４は、タスクＴの画像を表示状態で表示している。具体的には、対象が認証対象であることを認証データが示している場合、表示制御部１０は、タスクＴの画像を表示部４にすべて表示させるよう制御する（視認可能状態）。すなわち、タスクＴの画像を表示状態にさせるよう制御する。
【００３８】
非表示状態は、タスクＴの一部または全部が表示部４に表示された表示形態である。具体的には、対象が非認証対象であることを認証データが示している場合、表示制御部１０は、表示部４にタスクＴの画像を一部または全部を表示させないよう制御する（視認不可状態）。すなわち、表示制御部１０は、表示部４の表示形態を、タスクＴを表示部４にすべて表示する表示状態から、タスクＴの画像を非表示状態にするよう変更する。
【００３９】
タスクＴが表示部４にウィンドウで表示されている場合、非表示状態は、縮小されたウィンドウを表示する表示形態である。具体的には、対象が非認証対象であることを認証データが示している場合、表示制御部１０は、表示部４に表示されたウィンドウを、縮小して表示させるよう制御する（視認不可状態）。すなわち、表示部４のすべてにウィンドウを表示する表示状態から、縮小したウィンドウを表示する非表示状態にするよう変更する。
【００４０】
本実施形態によれば、表示制御部１０が表示部４の表示形態を変更する。従って、表示装置１００は、漏洩させたくない画像を表示状態にしているときに非認証対象を認識すると、画像を表示状態から非表示状態に変更することができる。
【００４１】
また、本実施形態によれば、認証リストに登録されていない人によって表示部４に表示された画像が視認されることを防止でき、また認証リストに登録されていない撮像装置によって表示部４に表示された画像が盗撮されることを防止できる。
【００４２】
次に、図３を参照して、表示装置１００の動作の一例を説明する。図３は、表示装置１００の動作の一例を示すフローチャートである。図３に示すように、処理は、ステップＳ１０からステップＳ２４を含む。具体的には次の通りである。
【００４３】
図３に示すように、まず、ステップＳ１０において、視認可能領域または撮像可能領域を撮像する。処理は、ステップＳ１２に進む。
【００４４】
ステップＳ１２において、画像データを出力する。処理は、ステップＳ１４に進む。
【００４５】
ステップＳ１４において、対象を認証する。処理は、ステップＳ１６に進む。
【００４６】
ステップＳ１６において、画像データに基づいて、対象の認証データを出力する。処理は、ステップＳ１８に進む。
【００４７】
ステップＳ１８において、画像を表示する。処理は、ステップＳ２０に進む。
【００４８】
ステップＳ２０において、認証データに基づいて、対象が認証対象であるか否かを判定する。
【００４９】
対象が認証対象である場合（ステップＳ２０においてＹｅｓ）、処理は、ステップＳ２２に進む。対象が非認証対象である場合（ステップＳ２２においてＮｏ）、処理は、ステップＳ２４に進む。
【００５０】
ステップＳ２２において、画像の表示形態を表示状態で継続して表示する。そして、処理は終了する。
【００５１】
ステップＳ２４において、画像の表示形態を表示状態から非表示状態に変更して表示する。そして、処理は終了する。
【００５２】
（第１具体例）
次に、図１〜図３に加え、図４を参照して、第１具体例を説明する。図４は、本実施形態に係る表示装置１００の第１具体例を示す図である。第１具体例は、表示装置１００の表示部４を人が覗き込んだ場合における、認証部８による認証と、表示制御部１０による表示部４の表示形態の制御の一例を示す。
【００５３】
図４に示すように、撮像部２は、視認可能領域を含む所定の広角の空間領域を撮像する。撮像部２は、空間領域を撮像して取得した画像データを認証部８に出力する。
【００５４】
認証部８は、画像データに基づいて、視認可能領域に存在する対象である人Ｈ１を認識する。具体的には、認証部８は、人Ｈ１の顔を認識し、顔の画像データを抽出する。認証部８は、顔の画像データを記憶部７に記憶された認証リストのデータと照合し、人Ｈ１を認証する。人Ｈ１は、表示装置１００の認証対象である認証者として認証リストに登録されているので、認証部８は、人Ｈ１が認証者であることを示す認証データを出力する。
【００５５】
具体的には、人Ｈ１は認証者なので、認証データは認証対象を示す。表示制御部１０は、表示部４にタスクＴの画像の表示形態を表示状態に維持して表示させる。
【００５６】
表示制御部１０は、表示部４に、タスクＴを表示させる。さらに、表示制御部１０は、タスクＴの画像、ワークフローＷの画像、または入力欄１２の画像を表示部４に表示させるための表示データを生成し、表示部４に出力する。
【００５７】
次に、図４において、一例として、人Ｈ２は、人Ｈ１の後ろを通りかかり、表示装置１００の表示部４に表示されたタスクＴを覗き見ている。
【００５８】
認証部８は、画像データに基づいて、視認可能領域に存在する対象である人Ｈ２認識する。具体的には、認証部８は、人Ｈ２の顔を認識し、顔の画像データを抽出する。認証部８は、顔の画像データを記憶部７に記憶された認証リストのデータと照合し、人Ｈ２を認証する。人Ｈ２は表示装置１００の非認証対象（認証対象ではない）である非認証者なので、認証リストに登録されていない。従って、認証部８は、人Ｈ２が非認証者であることを示す認証データを出力する。
【００５９】
具体的には、人Ｈ２は非認証者なので、認証データは非認証対象を示す。表示制御部１０は、表示部４にタスクＴの画像を表示状態から非表示状態に変更させ、タスクＴの画像が人Ｈ２に視認されないようにし、タスクＴの内容が非認証者に漏洩しないようにする。さらに具体的には、表示制御部１０は、タスクＴに含まれる入力欄１２の画像の全部または一部を視認されないように、入力欄１２の表示形態を表示状態から非表示状態に変更する。
【００６０】
（第２具体例）
引き続き、図１〜図３に加え、図５を参照して、第２具体例を説明する。図５は、本実施形態に係る表示装置１００の第２具体例を示す図である。第２具体例は、表示装置１００の表示部４をカメラＣなどが有する撮像機能により盗撮される恐れがある場合における、認証部８による認証と、表示制御部１０による表示部４の表示形態の制御の一例を示す。
【００６１】
次に、図５に示すように、不特定人が人Ｈ１の後ろを通りかかり、表示装置１００の表示部４に表示されたタスクＴをスマートフォンＳまたはカメラＣで盗撮しようとしている。
【００６２】
また、例えば、表示装置１００を外部や施設に持ち出した際、街頭や施設に設けられた常設セキュリティーカメラＰにより、表示装置１００の表示部４に表示されたタスクＴが撮影されようとしている。スマートフォンＳ、カメラＣ、または常設セキュリティーカメラＰは、それぞれ撮像機能を有している。以下、スマートフォンＳを一例として説明する。
【００６３】
撮像部２は、撮像可能領域を含む所定の広角の空間領域を撮像する。撮像部２は、空間領域を撮像して取得した画像データを認証部８に出力する。但し、スマートフォンＳに搭載された撮像機能は、望遠機能を有している場合がある。従って、撮像部２は、撮像可能領域以外の空間領域も、撮像するよう設定されてもよい。当該事項は、本願明細書の全編において適用され得る。
【００６４】
認証部８は、画像データに基づいて、撮像可能領域に存在する対象であるスマートフォンＳを認識する。具体的には、認証部８は、スマートフォンＳを認識し、スマートフォンＳの画像データを抽出する。認証部８は、スマートフォンＳの画像データを記憶部７に記憶された認証リストと照合し、スマートフォンＳを認証する。スマートフォンＳは表示装置１００の非認証対象なので、認証リストに登録されていない。従って、認証部８は、スマートフォンＳが非認証対象であることを示す認証データを出力する。
【００６５】
具体的には、スマートフォンＳの認証データは、非認証対象を示す。表示制御部１０は、認証データに基づいて、表示部４にタスクＴの表示形態を表示状態から非表示状態に変更させ、タスクＴがスマートフォンＳにより盗撮されないようにし、タスクＴの内容が非認証対象に漏洩しないようにする。
【００６６】
次に、図１〜図５に加え、図６（ａ）および（ｂ）を参照して、本実施形態に係る表示装置１００の第３具体例および第４具体例を説明する。図６（ａ）および（ｂ）は、本実施形態に係る表示装置１００の第３具体例および第４具体例を示す図である。図６（ａ）は、タスクＴの画像の全てが非表示状態（視認不可状態または撮影不可状態）である第３具体例を示す。図６（ｂ）は、タスクＴの画像の一部が非表示状態である第４具体例を示す。第３具体例および第４具体例では、表示制御部１０は、認証データに基づいて、少なくとも一部のタスクＴの画像の表示形態を表示状態から非表示状態に変更する。
【００６７】
（第３具体例）
図６（ａ）に示す第３具体例では、認証データに基づいて、タスクＴの画像のすべての表示形態を表示状態から非表示状態に変更する。
【００６８】
図６（ａ）に示すように、表示部４は、インジケーター１４を表示する。インジケーター１４は、第１インジケーター１４Ａと、第２インジケーター１４Ｂとを含む。インジケーター１４は、表示部４において、タスクＴの画像の表示形態が表示状態から非表示状態に変更されたことを示す。
【００６９】
第１インジケーター１４Ａは、表示部４において、タスクＴの画像が非表示状態であることを示す。第２インジケーター１４Ｂは、表示部４において、タスクＴの画像が非表示状態であることを文章で示す。具体的には、第２インジケーター１４Ｂは、例えば、「表示停止中」と示される。第２インジケーター１４Ｂは、タスクＴの画像を非表示状態にした理由、タスクＴの情報が漏洩した非認証対象を表示してもよい。
【００７０】
表示装置１００の撮像部２は、視認可能領域または撮像可能領域の少なくとも一部を含む空間領域を撮像する。撮像部２は、空間領域を撮像して取得した画像データを認証部８に出力する。
【００７１】
認証部８は、画像データから抽出した対象のデータを、記憶部７に記憶された認証リストのデータと照合し、対象が認証対象であるか非認証対象であるかを認証する。具体的には、認証部８は、画像データから人Ｈ１の顔の部分を認識し、顔の画像データを抽出する。認証部８は、人Ｈ１が認証者であることを示す認証データを出力する。
【００７２】
表示制御部１０は、表示部４にタスクＴの画像を表示させる。さらに、表示制御部１０は、タスクＴの画像、ワークフローＷの画像、入力欄１２の画像を表示部４に表示させるための表示データを生成し、表示部４に出力する。
【００７３】
次に、認証部８は、画像データから人Ｈ２の顔の画像データ、または、スマートフォンの画像データとを記憶部７に記憶された認証リストのデータと照合し、人Ｈ２またはスマートフォンＳが、認証対象か非認証対象であるかを認証する。認証部８は、人Ｈ２が非認証対象であることを示す認証データを出力する。または、認証部８は、スマートフォンＳが非認証対象であることを示す認証データを出力する。
【００７４】
表示制御部１０は、認証データが認証対象を示すか、または非認証対象を示すかに基づいて、表示部４に表示された入力欄１２の表示形態を変更させる。具体的には、人Ｈ２、またはスマートフォンＳは非認証対象なので、認証データは非認証対象を示す。
【００７５】
表示制御部１０は、表示部４に表示されているタスクＴの画像の少なくとも一部の表示形態を表示状態から非表示状態に変更させる。表示制御部１０は、表示部４に表示されているタスクＴの画像を人Ｈ２に視認できないようにし、タスクＴの画像がスマートフォンＳにより撮像されないようにすることによって、タスクＴの内容が非認証対象に漏洩しないようにする。
【００７６】
具体的には、図６（ａ）に示すように、表示制御部１０は、表示部４に表示されたタスクＴの全ての表示形態を表示状態から非表示状態に変更する。併せて、表示制御部１０は、例えば、表示部４の右上隅に、タスクＴが非表示状態であることを暗示する第１インジケーター１４Ａを表示させる。
【００７７】
さらに、表示制御部１０は、例えば、表示部４の中央に、タスクＴが非表示状態であることを示す第２インジケーター１４Ｂを表示させる。第２インジケーター１４Ｂの一例は、「表示停止中」の文字表示である。第１インジケーター１４Ａと第２インジケーター１４Ｂとは両方表示されることに限定されず、少なくともいずれか一方が表示されればよい。
【００７８】
（第４具体例）
第４具体例では、図６（ｂ）に示すように、表示制御部１０は、表示部４に表示されたタスクＴの画像の少なくとも一部が非認証対象に漏洩させたくない重要な情報である場合、表示部４におけるタスクＴの画像の一部の表示形態を表示状態から非表示状態に変更させる。例えば、第２入力欄１２Ｂに重要な情報が含まれており、非認証対象に漏洩させたくない場合、表示制御部１０は、第２入力欄１２Ｂの表示形態を点線の矩形で囲んだ空白の表示形態に変更し、マスキングする。
【００７９】
併せて、表示制御部１０は、例えば、表示部４の非表示状態になっている矩形で囲んだ空白の右上隅に、タスクＴの画像が非表示状態であることを暗示する第１インジケーター１４Ａを表示させる。
【００８０】
さらに、表示制御部１０は、例えば、表示部４の非表示状態になっている領域に、タスクＴの画像が非表示状態であることを示す第２インジケーター１４Ｂを表示させる。第２インジケーター１４Ｂの一例は、「表示停止中」の文字表示である。
【００８１】
また、表示部４は、画像を図示しないウィンドウに表示する。表示制御部１０は、表示部４に表示している画像の表示形態を、表示状態から、画像の少なくとも一部を表示しない非表示状態に変更し、またはウィンドウを縮小して表示する。
【００８２】
本実施形態によれば、表示部４に表示された画像の、特に秘匿したい情報の漏洩を防止することができる。
【００８３】
（第５具体例）
第５具体例では、図６（ｂ）に示すように、表示制御部１０は、表示部４に表示されたタスクＴの画像のうち、特定された画像のみ表示形態を表示状態から非表示状態に変更させてもよい。すなわち、複数の入力欄１２のうち、例えば、「内容」を表示する第２入力欄１２Ｂの表示形態を、漏洩させたくない重要な情報であるとして、表示状態から非表示状態に変更させてもよい。
【００８４】
図６（ｂ）に示すように、画像は、ユーザーによって入力されたフォントを表示する入力欄を含む。表示制御部１０は、対象が非認証対象であることを認証データが示す場合、表示部４に表示された少なくとも一部の入力欄１２の表示形態を、表示状態から非表示状態に変更するよう、表示部４を制御する。
【００８５】
併せて、表示制御部１０は、例えば、表示部４の非表示状態になっている第２入力欄１２Ｂの右隅に、タスクＴが非表示状態であることを暗示する第１インジケーター１４Ａを表示させる。
【００８６】
さらに、表示制御部１０は、例えば、表示部４の非表示状態になっている入力欄１２の中央に、入力欄１２が非表示状態であることを示す第２インジケーター１４Ｂを表示させる。第２インジケーター１４Ｂの一例は、「表示停止中」の文字表示である。
【００８７】
本実施形態によれば、表示部４に表示された画像の覗き見（ショルダーサーフィン）を防止できる。また、重要な画像に含まれる情報の非認証対象への漏洩を防止できる。
【００８８】
また、本実施形態によれば、表示部４に表示されたタスクＴのうちの重要な入力欄１２のショルダーサーフィンを防止できる。また、表示部４に表示された漏洩を避けたい一部の入力欄１２に記入された情報の漏洩を防止できる。
【００８９】
次に、図７を参照して、表示装置１００の第１具体例〜第５具体例の動作を説明する。図７は、表示装置１００の第１具体例〜第５具体例を示すフローチャートである。図７に示すように、処理は、ステップＳ４０からステップＳ５２を含む。具体的には次の通りである。
【００９０】
図７に示すように、まず、ステップＳ４０において、空間領域を撮像する。処理は、ステップＳ４２に進む。
【００９１】
ステップＳ４２において、画像データを出力する。処理は、ステップＳ４４に進む。
【００９２】
ステップＳ４４において、対象を認証する。処理は、ステップＳ４６に進む。
【００９３】
ステップＳ４６において、画像データに基づいて、対象の認証データを出力する。処理は、ステップＳ４８に進む。
【００９４】
ステップＳ４８において、画像の全てを非表示状態に変更するか否かを判定する。画像の全てを非表示状態にする場合（ステップＳ４８においてＹｅｓ）、処理は、ステップＳ５０に進む。画像の全てを非表示状態にはしない場合（ステップＳ４８においてＮｏ）、処理は、ステップＳ５２に進む。
【００９５】
ステップＳ５０において、画像の全てを非表示状態に変更する。そして、処理は終了する。
【００９６】
ステップＳ５２において、画像の一部を非表示状態に変更する。そして、処理は終了する。
【００９７】
次に、図８〜図１３を参照して、本実施形態に係る表示装置１００の第６具体例〜第９具体例を説明する。図８は、本実施形態に係る表示装置１００の第６具体例〜第９具体例を示す図である。図９（ａ）および（ｂ）は、本実施形態に係る表示装置１００の第７具体例を示す図である。図１０は、本実施形態に係る表示装置の第６具体例および第７具体例を示すフローチャートである。図１１は、本実施形態に係る表示装置１００の第８具体例を示す図である。図１２は、本実施形態に係る表示装置１００の第９具体例を示す図である。図１３は、本実施形態に係る表示装置１００の第８具体例および第９具体例を示すフローチャートである。
【００９８】
図８に示す表示装置１００は、図１で説明した表示装置１００に加えて、さらに、通信部１６を備える。表示装置１００の制御装置６は、さらに、計時部１８と、生成部２０とを含む。図７において、図１と重複する構成要素についての詳細な説明は省略する。
【００９９】
図８において、通信部１６は、タスクＴの画像、タスクＴに含まれるワークフローＷの画像、ワークフローＷに含まれる入力欄１２の画像、または入力欄１２に含まれる第１入力欄１２Ａ〜第５入力欄１２Ｅのいずれかの画像の表示形態が表示状態から非表示状態に変更された後、後述するように、表示形態が非表示状態から再び表示状態に戻るまでの間に、非認証者に覗き見され、または非認証対象に盗撮されたことのいずれかを管理者に通報する。
【０１００】
通信部１６は、非認証対象の認証データに、後述する対象付帯情報３０を付帯させて、管理者に通報する。
【０１０１】
計時部１８は、タスクＴの画像が変化してから経過した経過時間を計時する。計時部１８は、タスクＴに含まれるワークフローＷの画像が変化してから経過した経過時間を計時する。計時部１８は、ワークフローＷに含まれる入力欄１２の画像が変化してから経過した経過時間を計時する。計時部１８は、入力欄１２に含まれる第１入力欄１２Ａ〜第５入力欄１２Ｅのいずれかにフォントが入力されてから経過した経過時間を計時する。
【０１０２】
生成部２０は、認証対象または非認証対象に関するメタデータを生成する。メタデータは、認証対象または非認証対象に付帯し、認証対象または非認証対象の具体的な詳細情報を表示する付帯データである。
【０１０３】
（第６具体例）
第６具体例は、直近に変更された入力欄１２の表示形態を変更する例を記載する。第６具体例では、表示装置１００は、計時部１８を備える。計時部１８は、入力欄１２にフォントが入力されてから経過した経過時間を計時する。表示制御部１０は、経過時間が閾値未満の入力欄１２の表示形態を、表示状態から非表示状態に変更するよう、表示部４を制御する。
【０１０４】
つまり、フォントが入力された直後の入力欄１２には、重要な情報が表示されている可能性が高い。そのため、フォントが入力された直後の入力欄１２の表示形態を表示状態から非表示状態に変更させることにより、重要な情報が非認証対象に漏洩することを防ぐ。
【０１０５】
具体的には、計時部１８は、常時時刻をカウントしており、例えば、表示部４に表示された出張申請のタスクＴの画像が、人事情報のタスクＴの画像に変化した時点からの経過時間を計時する。計時部１８は、例えば、タスクＴの出張申請のワークフローＷの画像が、出張報告の画面に変化した時点からの経過時間を計時する。
【０１０６】
計時部１８は、ワークフローＷの入力欄１２（第１入力欄１２Ａ〜第４入力欄１２Ｄ）のいずれかにフォントが入力されるたびに計時を開始し、入力欄１２にフォントが入力されてから経過した経過時間を計時する。
【０１０７】
例えば、図２に示す第１入力欄１２Ａの場合、計時部１８は、「出張報告の件」のそれぞれのフォントが入力されるたびに経過時間を計時する。計時部１８は、「出」のフォントが入力されてから経過した経過時間を計時する。計時部１８は、「出張」のフォントが入力されてから経過した経過時間を計時する。
【０１０８】
撮像部２は、対象を撮像して画像データを出力する。認証部８は、画像データに基づいて、対象が非認証対象であることを認証して認証データを出力する。表示制御部１０は、対象が非認証対象であることを認証した認証データを取得した場合、例えば、いずれかの入力欄１２にフォントが入力されてから経過した経過時間を計時部１８から取得する。
【０１０９】
表示制御部１０は、計時部１８から取得した経過時間が閾値以下の場合、表示部４において変更された入力欄１２の表示形態を表示状態から非表示状態に変更する。具体的には、表示制御部１０は、入力欄１２をマスキングして空白を表示させる。
【０１１０】
本実施形態によれば、ユーザーが入力欄１２にフォントを入力している最中であっても、非認証対象が視認可能領域または撮像可能領域に入ってきた場合、表示制御部１０は、表示部４に表示されている入力欄１２の表示形態を表示状態から非表示状態に変更することができる。
【０１１１】
従って、本実施形態によれば、直近にフォント列が入力された入力欄の重要な情報が非認証対象へ漏洩することを防止できる。
【０１１２】
（第７具体例）
次に、図９（ａ）および（ｂ）を参照して、本実施形態に係る表示装置１００の第７具体例を説明する。第７具体例において、表示制御部１０は、人Ｈ２がフォントを視認できる視認可能領域の外に移動した場合、または撮像装置がフォントを撮像できる撮像可能領域の外に移動した場合、表示部４における表示形態が非表示状態に変更された入力欄を、表示状態に変更するよう、表示部４を制御する。
【０１１３】
具体的には、図４および図５で説明したように、撮像部２は、視認可能領域または撮像可能領域の少なくとも一部を含む空間領域を撮像して画像データを出力する。認証部８は、画像データに基づいて、対象を認識する。認証部８は、対象の画像データを抽出する。認証部８は、画像データと認証リストまたは登録リストとを照合する。認証部８は、対象が非認証対象であることを認証して認証データを出力する。
【０１１４】
表示制御部１０は、対象が非認証対象であることを認証した認証データを取得して、図９（ａ）に示すように、表示部４にタスクＴの全部または一部の画像の表示形態を表示状態から非表示状態に変更するよう制御する。
【０１１５】
その後、図４に示すように、視認可能領域に存在した非認証者などの非認証対象が、表示装置１００の視認可能領域の外部へ移動した場合、認証部８は、撮像部２から取得した画像データに基づいて、非認証対象が視認可能領域に存在しないことを認識し、認証データを出力する。
【０１１６】
また、図５に示すように、撮像可能領域に存在したスマートフォンＳなどの非認証対象が、表示装置１００の撮像可能領域の外部に移動した場合、または表示装置１００が移動することにより、常設セキュリティーカメラＰの位置が撮像可能範囲の外部となった場合、認証部８は、撮像部２から取得した画像データに基づいて、非認証対象が撮像可能領域に存在しないことを認識し、認証データを出力する。
【０１１７】
表示制御部１０は、認証データを取得し、図９（ｂ）に示すように、表示部４において、タスクＴのマスキングを解消させ、タスクＴを表示させる。また、表示制御部１０は、認証データを取得し、表示部４に、タスクＴの表示形態を非表示状態から表示状態に変更させる。
【０１１８】
表示制御部１０は、通信部１６が、非認証対象の認証データに、後述する対象付帯情報３０を付帯させて、管理者に通報した後、図９（ｂ）に示すように、表示部４にインジケーター２２Ｃを表示させてもよい。インジケーター２２Ｃの一例は、「非認証者を管理者に通報しました。」である。
【０１１９】
本実施形態によれば、非認証対象が視認可能領域または撮像可能領域から外部に移動した場合、表示部４に表示された画像は好適に元の作業状態に戻るため、作業が中断しても、好適に作業を再開できる。
【０１２０】
次に、図１０を参照して、表示装置１００の第６具体例および第７具体例の動作を説明する。図１０は、表示装置１００の第６具体例および第７具体例を示すフローチャートである。図１０に示すように、処理は、ステップＳ７０からステップＳ９０を含む。具体的には次の通りである。
【０１２１】
図１０に示すように、まず、ステップＳ７０において、画像を表示する。処理は、ステップＳ７２に進む。
【０１２２】
ステップＳ７２において、入力欄１２にフォントを表示する。処理は、ステップＳ７４に進む。
【０１２３】
ステップＳ７４において、空間領域を撮像する。処理は、ステップＳ７６に進む。
【０１２４】
ステップＳ７６において、画像データを出力する。処理は、ステップＳ７８に進む。
【０１２５】
ステップＳ７８において、対象を認証する。処理は、ステップＳ８０に進む。
【０１２６】
ステップＳ８０において、認証データを出力する。処理は、ステップＳ８２に進む。
【０１２７】
ステップＳ８２において、所定時間が経過したか否かを判定する。所定時間が経過した場合（ステップＳ８２においてＹｅｓ）、処理は、ステップＳ８４に進む。所定時間が経過していない場合（ステップＳ８２においてＮｏ）、ステップＳ８６に進む。
【０１２８】
ステップＳ８４において、入力欄１２の表示形態を表示状態で継続する。そして処理は終了する。
【０１２９】
ステップＳ８６において、入力欄１２の表示形態を表示状態から非表示状態に変更する。処理は、ステップＳ８８に進む。
【０１３０】
ステップＳ８８において、非認証対象が視認可能領域の外部または撮像可能領域の外部に移動したか否かを判定する。移動していない場合（ステップＳ８８においてＮｏ）、ステップＳ８８の処理を繰り返す。移動した場合（ステップＳ８８においてＹｅｓ）、処理は、ステップＳ９０に進む。
【０１３１】
ステップＳ９０において、入力欄１２の表示形態を非表示状態から表示状態に変更する。そして、処理は終了する。
【０１３２】
（第８具体例）
次に、図８および図１１を参照して、本実施形態に係る表示装置１００の第８具体例を説明する。図１１は、表示装置１００の第８具体例を示す図である。第８具体例では、図８に示すように、表示装置１００は、生成部２０を備える。生成部２０は、画像を視認しまたは撮像した非認証対象に関する対象付帯情報３０を生成する。
【０１３３】
具体的には、表示装置１００の表示部４に表示された画像が非認証対象に視認または撮像されると、図１１に示すように、生成部２０は、非認証対象について対象付帯情報（メタデータ）３０を生成する。対象付帯情報３０は、例えば、非認証対象が人Ｈ２である場合、人Ｈ２の画像データに付帯して生成される。
【０１３４】
図１１に示す対象付帯情報３０は、Ａ株式会社Ｂ事業部に所属する、社員番号１２３４５６７の山田一郎が、２０１９年〇月△日に、２階Ｃ会議室で、出張報告書を視認したことを示す。
【０１３５】
対象付帯情報３０は、スマートフォンＳ等の機器について生成されてもよく、認証対象である人Ｈ１について生成されてもよい。
【０１３６】
対象付帯情報３０は、漏洩したくない重要な情報が、表示装置１００に認証されていない非認証対象に漏洩した可能性がある場合に、非認証対象の詳細情報を管理するために使用される。また、後述するように、非認証対象を管理者が把握することによって、セキュリティー対策に用いられる。
【０１３７】
本実施形態によれば、管理者は、画像を視認しまたは撮像した可能性のある対象を対象付帯情報３０により把握することができる。
【０１３８】
（第９具体例）
次に、図８および図１２を参照して、本実施形態に係る表示装置１００の第８具体例を説明する。図１２は、表示装置１００の第９具体例を示す図である。第９具体例では、図８に示すように、表示装置１００は、生成部２０を備える。生成部２０は、非認証対象により視認され、または撮像された画像に関する画像付帯情報を生成する。
【０１３９】
具体的には、表示装置１００の表示部４に表示された画像が非認証対象に視認または撮像されると、図１２に示すように、生成部２０は、画像について画像付帯情報（メタデータ）３２を生成する。対象付帯情報３０は、例えば、画像が入力欄１２である場合、入力欄１２の第１入力欄１２Ａ〜第４入力欄１２Ｄのそれぞれに付帯して生成される。
【０１４０】
図１２に示す画像付帯情報３２は、Ａ株式会社Ｂ事業部が所有するＤ端末に表示されたワークフローの第２入力欄１２Ｂが、２０１９年〇月△日に、２階Ｃ会議室で、Ａ株式会社Ｂ事業部に所属する、社員番号１２３４５６７の山田一郎に視認されたことを示す。
【０１４１】
画像付帯情報３２は、スマートフォンＳ等の機器のディスプレーに表示された画像について生成されてもよい。
【０１４２】
画像付帯情報３２は、漏洩したくない重要な画像の情報が、表示装置１００に認証されていない非認証対象に漏洩した可能性がある場合に、画像の詳細情報を管理するために使用される。また、後述するように、画像を管理者が把握することによって、セキュリティー対策に用いられる。
【０１４３】
次に、画像付帯情報３２は、図４および図５に示すように、撮像部２が撮像した対象が非認証対象であると、認証部８が認証データを出力し、表示制御部１０は画像の表示形態を表示状態から非表示状態に変更して表示部４に表示される。その際、制御装置６は、画像に画像付帯情報３２を付帯させて記憶部７に記憶する。
【０１４４】
非認証対象が視認可能領域または撮像可能領域の外部に移動したことを認証部８が認証すると、制御装置６は、非表示状態に変更した画像と画像付帯情報３２とを記憶部７から読み出す。
【０１４５】
表示制御部１０は、画像付帯情報３２に基づいて、画像を表示状態に変更して表示部４に表示させる。
【０１４６】
本実施形態によれば、非認証対象に視認されまたは撮像された可能性のある画像の詳細情報を画像付帯情報３２により把握することができる。
【０１４７】
本実施形態によれば、表示装置１００の表示部４に表示された画像の表示形態が表示状態から非表示状態に変更されても、非認証対象が視認可能領域または撮像可能領域の外部に移動すると、画像の表示形態が非表示状態から表示状態に変更される。そのため、表示されていた画像の消失を防止することができる。また、ユーザーによる作業が一旦中断されても、その後好適に継続することができる。
【０１４８】
（第１０具体例）
次に、本実施形態に係る表示装置１００の第１０具体例を説明する。第１０具体例では、表示装置１００は、対象付帯情報を管理者に通報する通信部１６を備える。
【０１４９】
具体的には、撮像部２は、空間領域を撮像して画像データを出力する。認証部８は、画像データから対象を抽出し、対象に関する認証データを生成して出力する。生成部２０は、認証データを取得すると、非認証対象に付帯する対象付帯情報を生成して出力する。通信部１６は、非認証対象に関する画像データに対象付帯情報を付帯させて、認証業務に従事する管理者または管理部門に通報する。
【０１５０】
本実施形態によれば、認証業務に従事する管理者または管理部門は、非認証対象に関する画像データと対象付帯情報とを取得できるので、組織の機密情報、営業秘密、または技術情報の漏洩の有無を早期に把握し、確認し、好適に対応することができる。
【０１５１】
次に、図１３を参照して、表示装置１００の第８具体例〜第１０具体例の動作を説明する。図１３は、本実施形態に係る表示装置１００の第８具体例〜第１０具体例を示すフローチャートである。図１３に示すように、処理は、ステップＳ１１０からステップＳ１２４を含む。具体的には次の通りである。
【０１５２】
図１３に示すように、まず、ステップＳ１１０において、空間領域を撮像する。処理は、ステップＳ１１２に進む。
【０１５３】
ステップＳ１１２において、画像データを出力する。処理は、ステップＳ１１４に進む。
【０１５４】
ステップＳ１１４において、対象を認証する。処理は、ステップＳ１１６に進む。
【０１５５】
ステップＳ１１６において、画像データに基づいて、対象付帯情報を生成する。処理は、ステップＳ１１８に進む。
【０１５６】
ステップＳ１１８において、画像データに基づいて、対象の認証データを出力する。処理は、ステップＳ１２０に進む。
【０１５７】
ステップＳ１２０において、画像を表示する。処理は、ステップＳ１２２に進む。
【０１５８】
ステップＳ１２２において、画像付帯情報を生成する。処理は、ステップＳ１２４に進む。
【０１５９】
ステップＳ１２４において、非認証対象の画像データに付帯して対象付帯情報を管理者に通報する。また、画像に付帯して画像付帯情報を管理者に通報する。そして、処理は終了する。
【０１６０】
以上、図面を参照しながら本発明の実施形態を説明した。但し、本発明は、上記の実施形態に限られるものではなく、その要旨を逸脱しない範囲で種々の態様において実施することが可能である。また、上記の各実施形態に開示されている複数の構成要素を適宜組み合わせることによって、種々の発明の形成が可能である。例えば、本実施形態に示される全構成要素から幾つかの構成要素を削除してもよい。さらに、異なる本実施形態にわたる構成要素を適宜組み合わせてもよい。図面は、理解しやすくするために、それぞれの構成要素を主体に模式的に示しており、図示された各構成要素の個数等は、図面作成の都合上から実際とは異なる。また、上記の実施形態で示す各構成要素の形状等は一例であって、特に限定されるものではなく、本発明の構成から実質的に逸脱しない範囲で種々の変更が可能である。
【産業上の利用可能性】
【０１６１】
本発明は、表示装置および表示方法の分野に利用可能である。
【符号の説明】
【０１６２】
１００      表示装置
２          撮像部
４          表示部
６          制御装置
８          認証部
１０        表示制御部
１６        通信部
１８        計時部
２０        生成部
【図１】
2020204705.tif 000003
【図２】
2020204705.tif 000004
【図３】
2020204705.tif 000005
【図４】
2020204705.tif 000006
【図５】
2020204705.tif 000007
【図６】
2020204705.tif 000008
【図７】
2020204705.tif 000009
【図８】
2020204705.tif 000010
【図９】
2020204705.tif 000011
【図１０】
2020204705.tif 000012
【図１１】
2020204705.tif 000013
【図１２】
2020204705.tif 000014
【図１３】
2020204705.tif 000015